(57)【特許請求の範囲】
【請求項１】
ハウジング内に端子収容室が形成され、該端子収容室内に軸状の電気接続部が突設されるコネクタにおいて、
前記端子収容室の内壁に、前記電気接続部に沿って、該電気接続部と同じ幅に形成されつつ、該電気接続部に当接する当接支持部を備えたことを特徴とするコネクタ。
【請求項２】
請求項１に記載のコネクタであって、
前記当接支持部が射出成型によって、前記電気接続部と一体に形成されたことを特徴とするコネクタ。
【請求項３】
請求項２記載のコネクタであって、
前記当接支持部は、前記電気接続部の中央部から基部に架けて支持することを特徴とするコネクタ。
【発明の詳細な説明】
【技術分野】
【０００１】
本発明は、雌端子と電気的に接続する雄端子を有するコネクタに関する。
【背景技術】
【０００２】
従来、コネクタとして、特許文献１に記載されているものが提案されている。  このコネクタ１０１は、図６、７に示すように、ハウジング１１０に形成された収容筒部１１１内に、軸状の電気接続部１２２が突設するように雄端子１２１が配置されている。また、収容筒部１１１内には、異物除去体１５１が収容筒部１１１を塞ぐように、且つ電気接続部１２２に沿って移動自在に収容されている。異物除去体１５１には、電気接続部１２２を挿通可能な貫通孔１５２が貫設される。そして、異物除去体１５１はコイルバネ１５３によって収容筒部１１１の先端側に向けて付勢保持されている。
【０００３】
上記構成では、収容筒部１１１に雌端子１４１を挿入することで、その雌端子１４１により異物除去体１５１が収容筒部１１１の奥側に向けて押込まれ、これにより電気接続部１２２が異物除去体１５１の貫通孔１５２を通ってその先端側に徐々に突出してくる。そして、電気接続部１２２が徐々に突出し、雌端子１４１の曲げ荷重が掛かった際に、電気接続部１２２を異物除去体１５１の貫通孔１５２が支えることで、電気接続部１２２の変形を防止している。
【先行技術文献】
【特許文献】
【０００４】
【特許文献１】特開２００１−２３００１７号公報
【発明の概要】
【発明が解決しようとする課題】
【０００５】
ところで、近年、コネクタの集積化と小型化の要望が高く、これに伴い端子金具の小型化が行われている。端子金具が小型化されることによって、雌端子と電気的に接続する雄端子の接続部分が細軸化し、機械的強度が低下することで、今まで以上に、雌端子と接続する際に、雄端子の接続部分が折曲がる恐れが高くなっている。
【０００６】
このような状況の中で、前述したコネクタ１０１は、極めて小さな各収容筒部１１１内に極小の異物除去体１５１とコイルバネ１５３を配設しなければならず、部品点数の増加を招くとともに、コネクタ１０１の組立作業性悪化による組立工数の増大、および異物除去体１５１の動作確認を行なうための検査工数の増大を招くという問題があった。
【０００７】
本発明は、上記事情を考慮し、単純な構造で、雄端子の折曲がりを防止することができるコネクタを提供することを目的とする。
【課題を解決するための手段】
【０００８】
請求項１の発明は、ハウジング内に端子収容室が形成され、該端子収容室内に軸状の電気接続部が突設されるコネクタにおいて、前記端子収容室の内壁に、前記電気接続部に沿って、該電気接続部と同じ幅に形成されつつ、該電気接続部に当接する当接支持部を備えたことを特徴とする。
【０００９】
請求項２の発明は、請求項１に記載のコネクタであって、前記当接支持部が射出成型によって、前記電気接続部と一体に形成されたことを特徴とする。
【００１０】
請求項３の発明は、請求項２記載のコネクタであって、前記当接支持部は、前記電気接続部の中央部から基部に架けて支持することを特徴とする。
【発明の効果】
【００１１】
請求項１の発明によれば、当接支持部が、軸状の電気接続部を当接、支持することによって、可動部を設けることなく、単純な構造で、コネクタ接続時の電気接続部の折曲がりを防止することができる。
【００１２】
また、請求項２の発明によれば、請求項１の発明の効果に加えて、当接支持部が、電気接続部と一体に形成されたことによって、単純な構造でコネクタ接続時の電気接続部の折曲がりをより一層防止することができる。
【００１３】
また、請求項３の発明によれば、請求項２の発明の効果に加えて、当接支持部が、電気接続部の先端部を除き、中央部から基部に架けて支持することによって、射出成型後に電気接続部が露出するため、相手側端子との電気的な接点を確保することができる。
【図面の簡単な説明】
【００１４】
【図１】本発明の一実施形態を示し、連結前のハウジングを示すコネクタの斜視図である。
【図２】本発明の一実施形態を示し、雌ハウジングの正面図である。
【図３】本発明の一実施形態を示し、雌ハウジングの図２のIII-III線に沿った断面図である。
【図４】本発明の一実施形態を示し、連結後のハウジングを示すコネクタの斜視図である。
【図５】本発明の一実施形態を示し、図２のIII-III線に沿った部位に対応する連結後のコネクタの断面図である。
【図６】従来のコネクタの連結前の状態を示す要部断面図である。
【図７】従来のコネクタの連結後の状態を示す要部断面図である。
【発明を実施するための形態】
【００１５】
以下、本発明の実施形態を図面を参照して説明する。
【００１６】
図１〜図５は本発明の一実施形態を示し、図１は、連結前のハウジングを示すコネクタの斜視図、図２は、雌ハウジングの正面図、図３は、雌ハウジングの図２のIII-III線に沿った断面図、図４は、連結後のハウジングを示すコネクタの斜視図、図５は、図２のIII-III線に沿った部位に対応する連結後のコネクタの断面図である。
【００１７】
本実施形態のコネクタ１は、図１に示すように、雄端子２１が収容される雌ハウジング１０（ハウジング）と、雌端子４１が収容される雄ハウジング３０とから構成され、雌ハウジング１０と雄ハウジング３０とを嵌合することで、雄端子２１と雌端子４１とを電気的に接続するものである。
【００１８】
ハウジングとしての雌ハウジング１０には、ハウジング正面に開口する略直方体状の端子収容室１１が形成されている。また、端子収容室１１内には、複数の雄端子２１が上下二段に配置されている。
【００１９】
雄端子２１は、軸状の金属材を一端側の電気接続部２２と他端側の後足部２３とが平行になるようにクランク状に折曲げることで形成されている。
【００２０】
後足部２３は、雌ハウジング１０の背面側に設定される端子集合部１２を通じて、基板（図示せず）上の接点（図示せず）に固着され、基板上の電気回路を構成する。端子集合部１２には、上段側の雄端子２１である上段側雄端子２１ａの後足部２３と、下段側の雄端子２１である下段側雄端子２１ｂの後足部２３とが交互に一列に並ぶように、上段側雄端子２１ａと下段側雄端子２１ｂとが、幅方向（図２の左右方向）に対して交互に端子収容室１１に配置されている。
【００２１】
電気接続部２２は、その先端部２２ａが、雌ハウジング１０の奥壁１１ｂを背面側から正面側に向かって貫通し、端子収容室１１内に突出するように配置されている。
【００２２】
端子収容室１１には、内壁としての天井面１１ａの奥壁１１ｂから正面側に向かって、電気接続部２２と同じ幅に設定された上段側当接支持部１３ａ（当接支持部１３）が形成されている。そして、この上段側当接支持部１３ａに上段側雄端子２１ａの電気接続部２２の中央部２２ｂと基部２２ｃとが支持されている。つまり、電気接続部２２は先端部２２ａが上段側当接支持部１３ａから正面側に突出した状態で、上段側当接支持部１３ａの下縁部分に配置されている。
【００２３】
また、端子収容室１１の下段側についても、上段側と同様に、  端子収容室１１の内壁としての底面１１ｃの奥壁１１ｂから正面側に向かって、電気接続部２２と同じ幅に設定された下段側当接支持部１３ｂ（当接支持部１３）が形成されている。そして、この下段側当接支持部１３ｂに下段側雄端子２１ｂの電気接続部２２の中央部２２ｂと基部２２ｃとが支持されており、電気接続部２２は先端部２２ａが下段側当接支持部１３ｂから正面側に突出した状態で、下段側当接支持部１３ｂの上縁部分に配置されている。
【００２４】
雄ハウジング３０は、ハウジング本体３１を備え、雌ハウジング１０と嵌合状態で、ハウジング本体３１の本体先端３１ａが奥壁１１ｂまで届きつつ、端子収容室１１内に隙間無く挿入されるように、略直方体形状に形成されている。
【００２５】
ハウジング本体３１の本体天井面３１ａの上段側雄端子２１ａに対応する部位と、ハウジング本体３１の本体底面３１ｃの下段側雄端子２１ｂに対応する部位のそれぞれに、スリット３２が形成され、このスリット３２内に雌端子４１が配置されている。
【００２６】
雌端子４１は、二股状の電気接続受部４２を備えており、電気接続受部４２の二股部分に挿入された軸状の電気接続部２２を電気接続受部４２の弾性力で狭持するによって、雄端子２１と雌端子４１とを電気的に接続する。
【００２７】
上記構成において、雌ハウジング１０は、金型（図示せず）を用いて射出成型によって成形される。雄端子２１は、電気接続部２２の先端部２２ａと後足部２３とが、金型内で固定、位置決めされることで、端子収容室１１内の正確な位置に雄端子２１が配置される。
【００２８】
上記のようにして、当接支持部１３が、軸状の電気接続部２２を当接、支持することによって、可動部を設けることなく、単純な構造で、コネクタ接続時の電気接続部２２の折曲がりを防止することができる。
【００２９】
また、当接支持部１３が、射出成型によって、電気接続部２２と一体に形成されたことで、単純な構造でコネクタ接続時の電気接続部２２の折曲がりをより一層防止することができる。
【００３０】
当接支持部１３が、電気接続部２２の先端部を除き、中央部から基部に架けて支持することによって、射出成型する際に雄端子２１は、電気接続部２２の先端部２２ａと後足部２３とが、金型内で固定、位置決めできるため、端子収容室１１内の正確な位置に雄端子２１を配置することができる。これにより、コネクタの集積化と小型化を行なう際に、雄端子２１の位置を高い寸法精度で実現することができるとともに、射出成型後に電気接続部２２が露出するため、相手側端子との電気的な接点を確保することができる。
【００３１】
雌ハウジング１０と雄ハウジング３０とを嵌合する際に、当接支持部１３が、電気接続部２２とともに、相手側端子からの曲げ荷重を受けることによって、電気接続部２２に掛かる曲げ荷重が低減されるため、単純な構造でコネクタ接続時の電気接続部２２の折曲がりをさらに防止することができる。
【００３２】
なお、上記実施形態では、雌端子４１の電気接続受部４２が二股形状を備え、雄端子２１の電気接続部２２によって二股形状部分を押し広げ、当接支持部１３が電気接続受部４２から電気接続部２２に掛かる曲げ荷重を受けることによって、電気接続部２２に掛かる曲げ荷重を低減し、折曲がりを防止する場合を例示したが、上記形態に限らず、当接支持部１３が電気接続部２２に掛かる電気接続受部４２からの曲げ荷重を受ける構成となっていれば、同様の作用効果を得ることができる。
【符号の説明】
【００３３】
１…コネクタ
１０…雌ハウジング（ハウジング）
１１…端子収容室
１１ａ…天井面（内壁）
１１ｃ…底面（内壁）
１３…当接支持部
２２…電気接続部
【図１】
0005707084.tif 000002
【図２】
0005707084.tif 000003
【図３】
0005707084.tif 000004
【図４】
0005707084.tif 000005
【図５】
0005707084.tif 000006
【図６】
0005707084.tif 000007
【図７】
0005707084.tif 000008